(57)【特許請求の範囲】
【請求項１】
スクリーン前面両側にコ状レールをスクリーンと平行に設け、このコ状レール内に摺動自在に昇降するウエート軸を設け、このウエート軸にレーキを設けると共に、コ状レールへの挿入部に先端が前記コ状レールの下縁と接触するレーキの垂下防止用突起を設け、且つコ状の吊アームの両端をウエート軸の両側に枢着したことを特徴とする往復式除塵機。
【請求項２】
スクリーン前面両側にコ状レールをスクリーンと平行に設け、このレールの上端に逆止弁状の進路切換片を設け、且つコ状レールの上部上面と下部上面に進路切換用切欠を設けると共に、このコ状レール内に摺動自在に昇降するウエート軸を設け、このウエート軸にレーキを設けると共にコ状レールへの挿入部に先端が前記コ状レールの下縁と接触するレーキの垂下防止用突起を設け、且つコ状の吊アームの両端をウエート軸の両側に枢着すると共に吊アームの両側にコ状レール内を移動する進路切換用突起を設けたことを特徴とする往復式除塵機。
【発明の詳細な説明】
【０００１】
【発明の属する技術分野】
本発明は、小規模河川に好適な簡易型往復式除塵機に関するものである。
【０００２】
【従来の技術】
現在一般に使われている除塵設備には、チエーン回転式、油圧アーム式、ワイヤーロープ式等があるが、いずれも構造が複雑かつ大規模となり、小規模河川には大きすぎ、コストもかかるため、未だに熊手を使用した手作業による掻揚げが行われている。
【０００３】
しかし、手作業による除塵作業は、用水路の入口の設置場所の関係から足場が悪く、川辺から塵芥のある水面まで距離のある遠隔作業となるため、作業が困難で作業員が誤って河川に転落する事故が往々に生じていた。
【０００４】
【発明が解決しようとする課題】
そこで本発明は、大型機の設置が不向きな小規模河川に好適な簡易型往復式除塵機を提供しようとするものである。
【０００５】
【課題を解決するための手段】
本発明は、上記の課題を解決するためになされたもので、請求項１記載の第１の発明は、スクリーン前面両側にコ状レールをスクリーンと平行に設け、このコ状レール内に摺動自在に昇降するウエート軸を設け、このウエート軸にレーキを設けると共に、コ状レールへの挿入部に先端が前記コ状レールの下縁と接触するレーキの垂下防止用突起を設け、且つコ状の吊アームの両端をウエート軸の両側に枢着したことを特徴とする往復式除塵機である。
【０００６】
また請求項２記載の第２の発明は、スクリーン前面両側にコ状レールをスクリーンと平行に設け、このレールの上端に逆止弁状の進路切換片を設け、且つコ状レールの上部上面と下部上面に進路切換用切欠を設けると共に、このコ状レール内に摺動自在に昇降するウエート軸を設け、このウエート軸にレーキを設けると共にコ状レールへの挿入部に先端が前記コ状レールの下縁と接触するレーキの垂下防止用突起を設け、且つコ状の吊アームの両端をウエート軸の両側に枢着すると共に吊アームの両側にコ状レール内を移動する進路切換用突起を設けたことを特徴とする往復式除塵機である。
【０００７】
【発明の実施の形態】
図１は第１の発明の一実施例の正面図、図２はその縦断面側面図、図３は図２のＡ−Ａ線拡大断面図、図４はコ状レールとウエート軸の関係を示す拡大縦断側面図である。
【０００８】
図１〜図４において、１は傾斜して設けたスクリーン、２，２はスクリーン１の前面両側にスクリーンと平行に設けたコ状レールで、内側に向けて取付けられている。３は両端をコ状レール２、２に挿入し、コ状レール内を摺動自在に昇降するウエート軸で、レーキ４を設けると共に、コ状レールへの挿入部に先端が前記コ状レールの下縁と接触するレーキ４の垂下防止用突起５を設け、またレーキ取付部の反対側には扇形状のスペーサ用突起６が設けられている。なおレーキ４は図３に示すように板状のもので、先端は櫛歯状となっている。
【０００９】
そして、レーキ取付部とは反対側のウエート軸３には櫛歯状にピン７が植設され、ウエート軸３の両側に設けた連結片３ａ，３ａに図５及び図６に示すような吊アーム８の両端が枢着され、この吊アーム８は手動ウインチ９にワイヤロープ１０を介して連繋されている。なお、吊アーム８の両側には振れ止め用突棒１１，１１が設けられている。
【００１０】
以上のように構成されるので、手動ウインチ９を駆動すると、ワイヤロープ１０及び吊アーム８を介してウエート軸３が上昇する。
【００１１】
この吊り上げ時は、連結片３ａ，３ａが、垂下防止用突起５の取付け位置より流入側に取付けられているので、垂下防止用突起５は図４に示すようにコ状レール２の下縁２ａと接触し、レーキ４は略水平に姿勢を規制され乍ら上昇し、スクリーン１に引っ掛かっているゴミを掻揚げて行く。
【００１２】
この上昇動作中、この実施例ではレーキ４として製作を容易にするため板状のものとしたため、流水も同時に掻揚げることになるので、ビール缶のようなゴミは図４の左方へ排出されようとするが、レーキ４とは反対側に設けた櫛歯状に設けたピン７により受け止められて上昇し、他のごみと共に掻揚げ排出される。吊アーム８は振れ止め１１、１１により、左右の振れを防止されるのでレーキ４に振動を与えることがないため掻き揚げたゴミを振り落とすことがない。
【００１３】
レーキ４が上昇し、最上部に達すると、レーキ４の垂下防止用突起５がコ状レール２の下縁２ａに設けた切欠２ｃにより下縁２ａから外れてウエート軸３を時計方向に回転させ、レーキ４を水平より傾け、衝撃によりゴミを振り落す。
【００１４】
ゴミの掻き揚げ終了後、手動ウインチ７の逆転防止爪を外すと、ウエート軸３の重さにより降下する。
【００１５】
ウエート軸３の降下時に、掻揚げ中にゴミがスクリーン１に引っ掛かっていても、ウエート軸３は垂下防止用突起５がコ状レール２の上縁２ｂに当るまで回動する構造となっているため、レーキ４は引っ掛かっているゴミの上を滑って支障なく降下する。
【００１６】
従って、ウエート軸３の上昇、下降を繰り返すことによりスクリーン１に引っ掛かったゴミを排除することができる。
【００１７】
図７〜図１０は第２の発明の一実施例で、前記実施例と異なる点は次の通りである。
【００１８】
即ち、コ状レール２，２上部上面と下部上面にそれぞれ進路切換用切欠２ｄ，２ｅを設けると共に、コ状レール２，２の上部両側に逆止弁状の進路切換片１２を設け、吊アーム８の両側にコ状レール２，２内を移動する進路切換突起１３，１３を設けた点である。
【００１９】
この構造によると、吊アーム８が上昇し、その進路切替突起１３，１３が進路切替片１２を押し開き越えると、コ状レール２，２の上部切欠２ｄ，２ｄより外側に抜け出し、降下時の帰路はコ状レール２，２の上縁２ｂ，２ｂ上を滑って降下し、レーキ４を確実に上昇させたまま降下する。そしてウエート軸３が最下位置に達すると、進路切替突起１３，１３は下部切欠２ｅ、２ｅよりコ状レール２，２の内側に落ち、次回の掻揚げ時は再び進路切換突起１３，１３はコ状レール２，２内を上昇する。
【００２０】
以上説明した実施例では、上下運動の設備としてワイヤロープを用いた場合を例示したが、シャフト、ラック、チェーンなどにより行うこともできる。
【００２１】
【発明の効果】
本発明によれば、上昇時の振れによるゴミの落下を防止し、降下時はゴミの噛み込みを防止して、昇降部のスムーズな単溝往復を簡単な構造で実現できる。従って、構造簡単で安価に提供し得るので、小規模河川用として好適である。
【図面の簡単な説明】
【図１】  第１の発明の一実施例の正面図。
【図２】  第１の発明の一実施例の縦断側面図。
【図３】  図１のＡ−Ａ線拡大断面図。
【図４】  コ状レールとウエート軸の関係を示す拡大縦断側面図。
【図５】  吊アームの平面図。
【図６】  吊アームの正面図。
【図７】  第２の発明の一実施例の正面図。
【図８】  第２の発明の一実施例の縦断側面図。
【図９】  第２の発明の一実施例における吊アームの平面図。
【図１０】  同正面図。
【符号の説明】
１        スクリーン
２        コ状レール
３        ウエート軸
４        レーキ
５        垂下防止用突起
６        スペーサ用突起
７        ピン
８        吊アーム
９        手動ウインチ
１０        ワイヤロープ
１１        振れ止め用突棒
１２        進路切換片
１３        進路切換突起
【図１】
0003643897.tif 000002
【図２】
0003643897.tif 000003
【図３】
0003643897.tif 000004
【図４】
0003643897.tif 000005
【図５】
0003643897.tif 000006
【図６】
0003643897.tif 000007
【図７】
0003643897.tif 000008
【図８】
0003643897.tif 000009
【図９】
0003643897.tif 000010
【図１０】
0003643897.tif 000011